(57)【要約】      （修正有）【課題】試験の実施状況を容易に確認することができる試験装置を提供する。【解決手段】複数の試験項目から実行対象として選択された１つ以上の試験項目を含む試験を、試験項目毎に、１つ以上の測定器用いて、被試験器に対して実行する試験実行手段と、選択された１つ以上の試験項目を含む試験画像を表示する試験項目表示手段と有する。試験項目表示手段は、試験画像に、複数の試験項目から実行対象として選択された１つ以上の試験項目と、複数の試験項目から実行対象として選択されなかった１つ以上の試験項目と、実行対象として選定された１つ以上の試験項目に付される予め決められた第１の印と、試験実行手段が実行中の試験項目に付され、予め決められた色を有する第２の印と、試験実行手段が実行中の試験項目における試験詳細情報と、試験実行手段が行う試験の進捗率とを表示する。【選択図】図１
2010281707.tif 000002
【特許請求の範囲】
【請求項１】
複数の試験項目から実行対象として選択された１つ以上の試験項目を含む試験を、前記試験項目毎に、１つ以上の測定器用いて、前記被試験器に対して実行する試験実行手段と、
前記選択された１つ以上の試験項目を含む試験画像を表示する試験項目表示手段と有する試験装置であって、
試験項目表示手段は、前記試験画像に、
前記複数の試験項目から実行対象として選択された１つ以上の試験項目と、
前記複数の試験項目から実行対象として選択されなかった１つ以上の試験項目と、
前記実行対象として選定された１つ以上の試験項目に付される予め決められた第１の印と、
前記試験実行手段が実行中の試験項目に付され、予め決められた色を有する第２の印と、
前記試験実行手段が実行中の試験項目における試験詳細情報と、
前記試験実行手段が行う試験の進捗率と
を表示する試験装置。
【発明の詳細な説明】
【技術分野】
【０００１】
本発明は、被試験器に対して試験を行う試験装置に関する。
【背景技術】
【０００２】
例えば、特許文献１は、整備担当者に習熟訓練させることができる試験装置を提供する。
【先行技術文献】
【特許文献】
【０００３】
【特許文献１】特開２００８−１７５６８１
【発明の概要】
【発明が解決しようとする課題】
【０００４】
本発明は、上述した背景からなされたものであって、試験の実施状況を容易に確認することができる試験装置を提供することを目的とする。
【課題を解決するための手段】
【０００５】
上記目的のために、本発明に係る試験装置（１２）は、複数の試験項目から実行対象として選択された１つ以上の試験項目を含む試験を、前記試験項目毎に、１つ以上の測定器（１６）用いて、前記被試験器（１４）に対して実行する試験実行手段（２１０）と、前記選択された１つ以上の試験項目を含む試験画像を表示する試験項目表示手段（２０２,２０４，２１４,２４０，２４４，２４８）と有する試験装置（１２）であって、試験項目表示手段は、前記試験画像に、前記複数の試験項目から実行対象として選択された１つ以上の試験項目と、前記複数の試験項目から実行対象として選択されなかった１つ以上の試験項目と、前記実行対象として選定された１つ以上の試験項目に付される予め決められた第１の印（図４（Ａ）；×印）と、前記試験実行手段が実行中の試験項目に付され、予め決められた色を有する第２の印（図４（Ａ）；斜線部）と、前記試験実行手段が実行中の試験項目における試験詳細情報（図４（Ａ）；試験詳細情報表示エリア４０４）と、前記試験実行手段が行う試験の進捗率（図４（Ａ）；進捗状況表示エリア４０２）とを表示する。
【０００６】
好適には、前記複数の試験項目から実行対象として選択されなかった１つ以上の試験項目を表示しないように前記試験項目表示手段を制御する表示制御手段（２５０）をさらに有する。
【０００７】
好適には、前記１つ以上の測定器（１６）それぞれは、試験項目毎に測定処理を行い、前記試験詳細情報は、実行中の測定器（１６）の測定処理内容を示す文字列である。
なお、この部分の記載において付された符号は、本願発明の技術的範囲の限定を意図していない。
【発明の効果】
【０００８】
本発明にかかる試験装置によれば、試験の実施状況を容易に確認することができる。
【図面の簡単な説明】
【０００９】
【図１】（Ａ）は、本発明に係る試験システムの構成を示す図であり、（Ｂ）は、（Ａ）に示した制御装置のハードウェア構成を例示する図である。
【図２】図１（Ａ）に示した制御装置において実行される試験制御プログラムの構成を示す図である。
【図３】図１（Ｂ）に示した制御装置の外部入出力装置に表示される試験状況確認画面の画面フレームを例示する図である。
【図４】（Ａ）は、図１（Ｂ）に示した制御装置の外部入出力装置に表示される試験実行中の試験状況確認画面を例示する図であり、（Ｂ）は、（Ａ）に示した表示切替ボタンが押下されたときに表示される試験状況確認画面を例示する図である。
【図５】図２に示した試験制御プログラムによるカラー表示処理および進捗状況表示処理（Ｓ１０）を示すフローチャートである。
【図６】図５に示した試験制御プログラムの測定詳細情報表示処理（Ｓ２０）を示すフローチャートである。
【発明を実施するための形態】
【００１０】
［試験システム１］
以下、本発明に係る試験システム１を説明する。
図１（Ａ）は、本発明に係る試験システム１の構成を示す図である。
図１（Ａ）に示すように、試験システム１は、制御装置１２と、被試験装置１４と、ｎ個の測定装置１６−１〜１６−ｎ（ｎ≧１；ただし、全てのｎが常に同数を示すとは限らない。）とが、ＬＡＮなどのネットワーク１０に接続され、被試験装置１４と、ｎ個の測定装置１６−１〜１６−ｎとが、切替装置１８を介して接続されて構成される。
なお、以下、測定装置１６−１〜１６−ｎなど、複数ある構成部分のいずれかを示すときは、単に、測定装置１６と記載することがある。
以下、各図において、実質的に同じ構成部分・処理には、同じ符号が付される。
試験システム１は、これらの構成により、被試験装置１４に対する試験を実行する。
【００１１】
［ハードウェア構成］
図１（Ｂ）は、図１（Ａ）に示した制御装置１２のハードウェア構成を例示する図である。
図１（Ｂ）に示すように、制御装置１２は、メモリ１２２およびＣＰＵ１２４などを含む情報処理装置１２０、キーボードおよび表示装置などを含む外部入出力装置１２６、データ通信を行うための通信装置１２８、および、ハードディスクなどの記録媒体１３２に対してデータの記録を行う記録装置１３０などから構成される。
つまり、制御装置１２は、情報処理およびデータ通信が可能なコンピュータとしての構成部分を有している。
【００１２】
被試験装置１４は、例えば、無線機である。
測定装置１６は、例えば、デジタルオシロスコープ、シンセサイズド信号発生器、モジュレーション・アナライザ、低周波分析器およびスペクトラムアナライザである。
【００１３】
［ソフトウェア］
以下、図１（Ａ）に示した制御装置１２において実行される試験制御プログラム２０を説明する。
図２は、図１（Ａ）に示した制御装置１２において実行される試験制御プログラム２０の構成を示す図である。
図２に示すように、試験制御プログラム２０は、操作受入れ部２００、画面フレーム表示部２０２、試験項目表示部２０４、試験制御部２１０、試験結果判定部２１２、試験結果表示部２１４、切替器インタフェース（ＩＦ）２２０、測定器ＩＦ２２２、カラー表示部２４０、進捗率算出部２４２、進捗率表示部２４４、詳細情報作成部２４６、詳細情報表示部２４８および表示制御部２５０から構成される。
【００１４】
試験制御プログラム２０は、例えば、記録媒体１３２（図１（Ｂ））などを介して制御装置１２のメモリ１２２にロードされ、制御装置１２にインストールされたＯＳ（図示せず）上で制御装置１２のハードウェア資源を具体的に利用して実行される。
試験制御プログラム２０は、これらの構成により、被試験装置１４に対する試験を実行する。
【００１５】
操作受入れ部２００は、ユーザによる外部入出力装置１２６の操作を受け入れ、試験制御部２１０に対して出力する。
具体的には、操作受入れ部２００は、測定装置１６の測定条件を設定するための設定信号を受け入れ、試験制御部２１０に対して出力する。
また、操作受入れ部２００は、被試験装置１４の種類の選択、１つ以上の試験項目の選択、試験項目に対する要求基準および試験開始の命令などを受け入れ、試験制御部２１０に対して出力する。
なお、操作受入れ部２００は、例えば、複数の試験項目を選択可能に構成された画面を外部入出力装置１２６に表示し、１つ以上の試験項目の選択を受け入れてもよい。
また、上記画面は、ＧＵＩ（Graphical User Interface）機能により実現されてもよい。
つまり、ユーザは、制御装置１２の外部入出力装置１２６を用いて、測定装置１６の測定条件の設定、被試験装置１４の種類の選択（無線機など）、１つ以上の試験項目の選択、試験項目に対する要求基準、および試験開始の命令を行うことにより、被試験装置１４に対する試験を開始する。
【００１６】
試験制御部２１０は、操作受入れ部２００から試験開始の命令を受け入れると、試験制御プログラム２０の各構成部分を制御し、試験実行の制御を行う。
具体的には、試験制御部２１０は、画面フレーム表示部２０２に試験状況確認画面の画面フレーム（図３を参照して後述）を表示させる。
また、試験制御部２１０は、操作受入れ部２００から入力された１つ以上の試験項目の選択および試験項目に対する要求基準に基づいて、試験項目表示部２０４に、試験項目および要求基準を表示させる（図４（Ａ）を参照して後述）。
また、試験制御部２１０は、操作受入れ部２００から入力された選択された試験項目に基づいて、測定装置１６と被試験装置１４とを接続させるための切替信号を切替器ＩＦ２２０を介して切替装置１８に対して出力し、切替装置１８を制御する。
切替装置１８は、試験制御部２１０から出力された切替信号に応じて、測定装置１６と被試験装置１４とを接続する。
【００１７】
また、試験制御部２１０は、操作受入れ部２００から入力された試験項目に応じて、使用する１つ以上の測定装置１６を、測定器ＩＦ２２２を介して制御する。
具体的には、試験制御部２１０は、信号発生器などの測定装置１６を制御して、試験信号を出力させる。
また、試験制御部２１０は、スペクトラムアナライザなどの測定装置１６を制御して、被試験装置１４から出力された信号を計測させ、計測された信号（測定結果）を受け入れる。
また、試験制御部２１０は、試験項目毎に、測定装置１６から受け入れた測定結果および要求基準を、試験結果判定部２１２に対して出力する。
【００１８】
また、試験制御部２１０は、現在実行中の試験項目の情報を、カラー表示部２４０に対して出力する。
また、試験制御部２１０は、実行中の試験項目が終了したときに、実行中の試験項目が終了したことを示す終了通知をカラー表示部２４０に対して出力する。
また、試験制御部２１０は、選択された試験項目数および終了した試験項目数を、進捗率算出部２４２に対して出力する。
【００１９】
また、試験制御部２１０は、実行中の試験項目における実行中の測定装置１６の測定処理内容を、詳細情報作成部２４６に対して出力する。
また、試験制御部２１０は、実行中の試験項目が終了したときに、実行中の試験項目が終了したことを示す終了通知を、詳細情報作成部２４６に対して出力する。
また、試験制御部２１０は、表示制御部２５０を制御し、試験状況確認画面（図４（Ａ），図４（Ｂ）を参照して後述）の表示を切換えるための表示切替ボタン４０６（図４（Ａ），図４（Ｂ））を表示させる。
【００２０】
図３は、図１（Ｂ）に示した制御装置１２の外部入出力装置１２６に表示される試験状況確認画面の画面フレームを例示する図である。
図３に示すように、試験状況確認画面の画面フレームは、タイトル表示エリア３００および試験状況表示エリア３０２を含む。
タイトル表示エリア３００には、被試験装置１４の種類に応じて、例えば「移動局検査」と表示される。
試験状況表示エリア３０２には、「試験項目」、「要求基準」、「今回測定値」および「判定」などの項目名のみが表示されている。
画面フレーム表示部２０２（図２）は、試験制御部２１０の制御に基づいて、図３に示した試験状況確認画面の画面フレームを表示する。
【００２１】
図４（Ａ）は、図１（Ｂ）に示した制御装置１２の外部入出力装置１２６に表示される試験実行中の試験状況確認画面を例示する図である。
図４（Ａ）に示すように、試験実行中の試験状況確認画面において、試験状況表示エリア３０２に、試験実施状況４００が書き込まれている。  
なお、試験実施状況４００において、実行中の試験項目の行は、予め決められた色でカラーリングされている（図４（Ａ）；斜線部）。
また、ユーザにより選択された試験項目には、×印が付されている。
また、試験実行中の試験状況確認画面は、試験状況確認画面の画面フレーム（図３）に、進捗状況表示エリア４０２、試験詳細情報表示エリア４０４および表示切替ボタン４０６を更に表示する。
【００２２】
試験項目表示部２０４（図２）は、試験制御部２１０の制御に基づいて、試験項目名の一覧および試験項目毎の要求基準を、図４（Ａ）に示すように、試験状況表示エリア３０２に表示する。
なお、試験項目表示部２０４は、図４（Ａ）に示すように、ユーザにより選択された試験項目に対応する試験項目名に×印を付す。
【００２３】
試験結果判定部２１２は、試験制御部２１０から入力された試験項目毎の測定結果および要求基準に基づいて、試験結果が「良好」であるか「不良」であるか判定する。
具体的には、試験制御部２１０は、測定結果が要求基準の範囲内にある場合には、「良好」と判定し、測定結果が要求基準の範囲外にある場合には、「不良」と判定する。
試験結果判定部２１２は、試験項目毎に、測定結果および判定結果（「良好」または「不良」）を、試験結果表示部２１４に対して出力する。
試験結果表示部２１４は、試験結果判定部２１２から入力された測定結果および判定結果（「良好」または「不良」）を、図４（Ａ）に示すように、試験状況表示エリア３０２に表示する。
【００２４】
カラー表示部２４０は、試験制御部２１０から入力された現在実行中の試験項目の情報に基づいて、図４（Ａ）の斜線部に示すように、実行中の試験項目の行を、予め決められた色でカラーリングする。
また、カラー表示部２４０は、試験制御部２１０から、実行中の試験項目が終了したことを示す終了通知が入力されると、カラーリング表示を消去する。
【００２５】
進捗率算出部２４２は、試験制御部２１０から入力された選択された試験項目数および終了した試験項目数に基づいて、試験の進捗率を算出する。
具体的には、進捗率算出部２４２は、進捗率を以下のように算出する。
進捗率（％）＝（終了した試験目数／選択された試験項目数）×１００
進捗率算出部２４２は、算出した進捗率を、進捗率表示部２４４に対して出力する。
進捗率表示部２４４は、進捗率算出部２４２から入力された進捗率を、外部入出力装置１２６（図１（Ｂ））に表示する。
より具体的には、進捗率表示部２４４は、試験状況確認画面の進捗状況表示エリア４０２（図４（Ａ））に、進捗率を表示する。
【００２６】
詳細情報作成部２４６は、試験制御部２１０から入力された実行中の試験項目における実行中の測定装置１６の測定処理内容に基づいて、実行中の測定装置１６の測定処理の内容を示す文字列を作成する。
具体的には、詳細情報作成部２４６は、「基本波レベル測定中」などと文字列を作成する。
また、詳細情報作成部２４６は、作成した文字列を、詳細情報表示部２４８に対して出力する。
また、詳細情報作成部２４６は、試験制御部２１０から入力された実行中の試験項目が終了したことを示す終了通知を、詳細情報表示部２４８に出力する。
詳細情報表示部２４８は、詳細情報作成部２４６から入力された文字列を、測定詳細情報として、外部入出力装置１２６（図１（Ｂ））に表示する。
より具体的には、詳細情報表示部２４８は、試験状況確認画面の試験詳細情報表示エリア４０４（図４（Ａ））に、測定詳細情報を表示する。
また、詳細情報表示部２４８は、詳細情報作成部２４６から実行中の試験項目が終了したことを示す終了通知を受け入れると、表示した文字列（測定詳細情報）を消去する。
【００２７】
図４（Ｂ）は、図４（Ａ）に示した表示切替ボタン４０６が押下されたときに表示される試験状況確認画面を例示する図である。
図４（Ｂ）に示すように、図４（Ａ）に示した表示切替ボタン４０６が押下されたときに表示される試験状況確認画面は、選択された試験項目に対応する試験状況４００のみが表示されている。
つまり、図４（Ａ）に示した試験状況確認画面では、選択された試験項目および選択されていない試験項目に対応する全ての試験状況４００が表示されていたが、図４（Ｂ）に示した試験状況確認画面では、選択された試験項目に対応する試験状況４００のみが表示される。
【００２８】
表示制御部２５０は、図４（Ａ）および図４（Ｂ）に示すように、表示切替ボタン４０６を外部入出力装置１２６（図１（Ｂ））に表示する。
また、表示制御部２５０は、図４（Ａ）に示した試験状況確認画面図において、ユーザにより表示切替ボタン４０６が押下されたことを検出すると、図４（Ｂ）に示した試験状況確認画面図に切換える。
また、表示制御部２５０は、図４（Ｂ）に示した試験状況確認画面図において、ユーザにより表示切替ボタン４０６が押下されたことを検出すると、図４（Ａ）に示した試験状況確認画面図に切換える。
【００２９】
以上説明した、試験制御プログラム２０の処理を、図５および図６を参照して、さらに説明する。
図５は、図２に示した試験制御プログラム２０によるカラー表示処理および進捗状況表示処理（Ｓ１０）を示すフローチャートである。
図５に示すように、ステップ１００（Ｓ１００）において、操作受入れ部２００は、ユーザによる試験項目の選択を受け入れる。
【００３０】
ステップ１０２（Ｓ１０２）において、操作受入れ部２００が試験開始命令を受け入れると、試験制御部２１０は、試験制御プログラム２０の各構成部分を制御して、試験を開始する。
ステップ１０４（Ｓ１０４）において、進捗率表示部２４４は、図４（Ａ）に示すように、進捗状況表示エリア４０２に、進捗率を０％と表示する。
ステップ１０６（Ｓ１０６）において、カラー表示部２４０は、図４（Ａ）に斜線を付して示すように、実行中の試験項目の行を、予め決められた色でカラーリングする。
【００３１】
ステップＳ２０（Ｓ２０）において、試験制御部２１０は、測定装置１６を制御して測定処理を行わせ、詳細情報表示部２４８は、測定詳細情報を表示する（図６を参照して後述）。
ステップ１０８（Ｓ１０８）において、試験制御部２１０は、測定装置１６から測定結果を受け入れる。
ステップ１１０（Ｓ１１０）において、試験結果表示部２１４は、測定結果および判定結果（「良好」または「不良」）を、図４（Ａ）に示すように、試験状況表示エリア３０２に表示する。
【００３２】
ステップ１１２（Ｓ１１２）において、カラー表示部２４０は、カラーリングされている試験項目の行のカラー表示を消去する。
ステップ１１４（Ｓ１１４）において、進捗率算出部２４２は、試験の進捗率を算出する。
ステップ１１６（Ｓ１１６）において、進捗率表示部２４４は、試験状況確認画面の進捗状況表示エリア４０２（図４（Ａ））に、進捗率を表示する。
ステップ１１８（Ｓ１１８）において、試験制御プログラム２０は、全試験項目が終了したか否かを判断する。
全試験項目が終了したときには、試験制御プログラム２０は、処理を終了し、これ以外のときには、Ｓ１０６の処理に戻る。
【００３３】
図６は、図５に示した試験制御プログラム２０の測定詳細情報表示処理（Ｓ２０）を示すフローチャートである。
図６に示すように、ステップ２００（Ｓ２００）において、試験制御部２１０は、例えば測定装置１６−１を制御して、測定処理（測定処理Ａ）を行わせる。
具体的には、測定処理Ａは、例えば、「信号源設定処理」である。
ステップ２０２（Ｓ２０２）において、詳細情報作成部２４６は、測定装置１６−１の測定処理内容に基づいて、実行中の測定装置１６−１の測定処理の内容を示す文字列「Ａ'」を作成する。
具体的には、「Ａ'」は、例えば、「信号源設定中」である。
ステップ２０４（Ｓ２０４）において、詳細情報表示部２４８は、作成された文字列「Ａ'」を、試験状況確認画面の試験詳細情報表示エリア４０４（図４（Ａ））に、測定詳細情報として表示する。
【００３４】
ステップ２０６（Ｓ２０６）において、試験制御部２１０は、例えば測定装置１６−２を制御して、測定処理（測定処理Ｂ）を行わせる。
具体的には、測定処理Ｂは、例えば、「入力信号設定処理」である。
ステップ２０８（Ｓ２０８）において、詳細情報作成部２４６は、測定装置１６−２の測定処理内容に基づいて、実行中の測定装置１６−２の測定処理の内容を示す文字列「Ｂ'」を作成する。
具体的には、「Ｂ'」は、例えば、「入力信号設定中」である。
ステップ２１０（Ｓ２１０）において、詳細情報表示部２４８は、作成された文字列「Ｂ'」を、試験状況確認画面の試験詳細情報表示エリア４０４（図４（Ａ））に、測定詳細情報として表示する。
【００３５】
ステップ２１２（Ｓ２１２）において、試験制御部２１０は、例えば測定装置１６−３を制御して、測定処理（測定処理Ｃ）を行わせる。
具体的には、測定処理Ｃは、例えば、「データ出力測定処理」である。
ステップ２１４（Ｓ２１４）において、詳細情報作成部２４６は、測定装置１６−３の測定処理内容に基づいて、実行中の測定装置１６−３の測定処理の内容を示す文字列「Ｃ'」を作成する。
具体的には、「Ｃ'」は、例えば、「データ出力測定  測定値：５．４Ｖ」である。
ステップ２１６（Ｓ２１６）において、詳細情報表示部２４８は、作成された文字列「Ｃ'」を、試験状況確認画面の試験詳細情報表示エリア４０４（図４（Ａ））に、測定詳細情報として表示する。
ステップ２１８（Ｓ２１８）において、詳細情報表示部２４８は、表示した文字列（測定詳細情報）を消去する。
【００３６】
なお、上述した測定詳細情報表示処理（Ｓ２０）では、測定装置１６−１、測定装置１６−２、測定装置１６‐３がそれぞれ１つの測定処理を行う場合を具体例として説明したが、それぞれ複数の測定処理を行う場合も同様に適用される。
つまり、例えば、測定装置１６−１が２つの測定処理Ｄ，Ｅを行う場合には、測定処理Ｄが実行されているときには、測定処理Ｄの処理内容を示す文字列が、表示され、測定処理Ｅが実行されているときには、測定処理Ｅの処理内容を示す文字列が、表示される。
【００３７】
［全体動作］
以上説明した試験システム１の全体動作を説明する。
１．ユーザは、制御装置１２の外部入出力装置１２６（図１（Ｂ））に、測定装置１６の測定条件の設定、被試験装置１４の種類の選択（無線機など）、１つ以上の試験項目の選択、試験項目に対する要求基準および試験開始の命令を行い、被試験装置１４に対する試験を開始する。
２．制御装置１２は、選択された試験項目に基づいて、切替装置１８を制御し、測定装置１６と被試験装置１４とを接続させる。
３．制御装置１２は、信号発生器などの測定装置１６を制御して、試験信号を出力させる。
４．制御装置１２は、スペクトラムアナライザなどの測定装置１６を制御して、被試験装置１４から出力された信号を計測させ、計測された信号（測定結果）を受け入れる。
５．制御装置１２は、外部入出力装置１２６（図１（Ｂ））に、試験状況確認画面（図３，図４（Ａ），図４（Ｂ））を表示する。
【００３８】
以上説明したように、本発明に係る試験システム１によれば、ユーザは容易に、被試験装置１４の試験状況の確認を行うことができる。
【符号の説明】
【００３９】
１・・・試験システム、１０・・・ネットワーク、１２・・・制御装置、１４・・・被試験装置、１６・・・測定装置、１８・・・切替装置、１２０・・・情報処理装置、１２２・・・メモリ、１２４・・・ＣＰＵ、１２６・・・外部入出力装置、１２８・・・通信装置、１３０・・・記録装置、１３２・・・記録媒体、２０・・・試験制御プログラム、２００・・・操作受入れ部、２０２・・・画面フレーム表示部、２０４・・・試験項目表示部、２１０・・・試験制御部、２１２・・・試験結果判定部、２１４・・・試験結果表示部、２２０・・・切替器ＩＦ、２２２・・・測定器ＩＦ、２４０・・・カラー表示部、２４２・・・進捗率算出部、２４４・・・進捗率表示部、２４６・・・詳細情報作成部、２４８・・・詳細情報表示部、２５０・・・表示制御部、３００・・・タイトル表示エリア、３０２・・・試験状況表示エリア、４００・・・試験状況、４０２・・・進捗状況表示エリア、４０４・・・試験詳細情報表示エリア、４０６・・・表示切替ボタン
【図１】
2010281707.tif 000003
【図２】
2010281707.tif 000004
【図３】
2010281707.tif 000005
【図４】
2010281707.tif 000006
【図５】
2010281707.tif 000007
【図６】
2010281707.tif 000008